(57)【特許請求の範囲】
【請求項１】
１つのネットワークに属する各チャンネルの情報を受信して、電子番組ガイド情報を含むサービス情報を取得する情報取得ステップと、
このサービス情報取得ステップにより取得している個々のネットワーク毎にサービス情報の取得が完了したか否かを検知する情報取得完了検知ステップと、
受信中の情報の内容が重要な情報であるか否かを検知する情報内容検知ステップと、
前記情報取得完了検知ステップによりそのネットワークのサービス情報の取得完了を検知したら他のネットワークに切り替えるネットワーク切り替えステップと、を備え、
前記情報内容検知ステップにより前記受信情報の内容が重要な情報であることが検知された場合は、前記ネットワーク切り替えステップによる他のネットワークへの切り替えを一時中止することを特徴とする複数ネットワークのサービス情報取得方法。
【請求項２】
１つのネットワークに属する各チャンネルの情報を受信して、電子番組ガイド情報を含むサービス情報を取得するサービス情報取得ステップと、
このサービス情報取得ステップにより取得している個々のネットワーク毎にサービス情報の取得程度を記憶する記憶ステップと、
前記サービス情報取得ステップにより取得開始からの時間を測定する取得時間測定ステップと、
受信中の情報の内容が重要な情報であるか否かを検知する情報内容検知ステップと、
前記取得時間測定ステップにより所定時間経ったことが検知されたら他のネットワークに切り替えるネットワーク切り替えステップと、を備え、
次回以降の各ネットワークのサービス情報の取得には、前記記憶ステップに記憶されているそのネットワークで先に取得したサービス情報の取得程度を参照してサービス情報の取得を再開し、前記情報内容検知ステップにより前記受信情報の内容が重要な情報であることが検知された場合は、前記ネットワーク切り替えステップによる他のネットワークへの切り替えを一時中止することを特徴とする複数ネットワークのサービス情報取得方法。
【請求項３】
前記情報内容検知ステップで検知する前記重要な情報は、視聴者が番組について契約した契約情報であることを特徴とする請求項１又は請求項２記載の複数ネットワークのサービス情報取得方法。
【発明の詳細な説明】
【０００１】
【発明の属する技術分野】
この発明は、デジタル衛星放送などの、電子番組ガイド情報を含むサービス情報を取得する方法に係わり、特に複数ネットワークのサービス情報取得方法に関する。
【０００２】
【従来の技術】
現在のデジタル衛星放送では、電子番組ガイド（ＥＰＧ）情報を含むサービス情報（ＳＩ）は、そのネットワーク内のもののみが送信されている。このため、複数のネットワークが受信可能な衛星放送受信機において、必要なネットワークの情報を得るためには、そのネットワークを選局しなければならない。このため通常は、現在選局中のネットワーク内のＳＩに関しては更新するものの、他の受信可能なネットワークのＳＩは取得せずにいるため、すべてのネットワーク内に送信されているサービス情報の更新を行うことができなかった。
【０００３】
【発明が解決しようとする課題】
上述のように、従来の衛星放送受信機では、現在選局中のチャンネルが属するネットワークに関するＳＩについては更新されるが、同時に放送されている他のネットワークのＳＩは更新できないため、例えばＥＰＧなどでは常に単一のネットワークのサービスに関する情報だけしか提示するすることができず、同じ時間帯にある他のネットワークの番組と重なっても気がつかないという、視聴者に不便な点があった。またサービスに関する情報についても、サービス名、サービスロゴなど、現在選局されていない、他のネットワークで送信されているデータが更新されない問題点もあった。この発明は、これらの問題を解決するために、受信機が受信するネットワークを自動的に切り替えてすべての、あるいは少なくともＥＰＧを表示するチャンネルが属する複数のネットワークのサービス情報を更新できるサービス情報取得方法を提供することを目的とする。
【０００４】
【課題を解決するための手段】
上記目的を達成するために、本発明の複数ネットワークのサービス情報取得方法は、１つのネットワークに属する各チャンネルの情報を受信して、電子番組ガイド情報を含むサービス情報を取得する情報取得ステップと、このサービス情報取得ステップにより取得している個々のネットワーク毎にサービス情報の取得が完了したか否かを検知する情報取得完了検知ステップと、受信中の情報の内容が重要な情報であるか否かを検知する情報内容検知ステップと、前記情報取得完了検知ステップによりそのネットワークのサービス情報の取得完了を検知したら他のネットワークに切り替えるネットワーク切り替えステップと、を備え、前記情報内容検知ステップにより前記受信情報の内容が重要な情報であることが検知された場合は、前記ネットワーク切り替えステップによる他のネットワークへの切り替えを一時中止することを特徴とする。
【０００６】
また、本発明の複数ネットワークのサービス情報取得方法は、１つのネットワークに属する各チャンネルの情報を受信して、電子番組ガイド情報を含むサービス情報を取得するサービス情報取得ステップと、このサービス情報取得ステップにより取得している個々のネットワーク毎にサービス情報の取得程度を記憶する記憶ステップと、前記サービス情報取得ステップにより取得開始からの時間を測定する取得時間測定ステップと、受信中の情報の内容が重要な情報であるか否かを検知する情報内容検知ステップと、前記取得時間測定ステップにより所定時間経ったことが検知されたら他のネットワークに切り替えるネットワーク切り替えステップと、を備え、次回以降の各ネットワークのサービス情報の取得には、前記記憶ステップに記憶されているそのネットワークで先に取得したサービス情報の取得程度を参照してサービス情報の取得を再開し、前記情報内容検知ステップにより前記受信情報の内容が重要な情報であることが検知された場合は、前記ネットワーク切り替えステップによる他のネットワークへの切り替えを一時中止することを特徴とする。
【０００８】
【発明の実施の形態】
図１に、本発明一実施例のサービス情報取得方法のフローチャートを示す。また、図２に本発明のサービス情報取得方法を実現するＣＳデジタル放送の受信システムの一構成例を示す。この受信システム１１はアンテナ１２と受信装置１３とＴＶ受像機１４とから成る。受信装置１３は、アンテナ１２にて受信する信号を選局するチューナ１５と、選局した信号のエラー訂正を行うエラー訂正回路１６と、エラー訂正された信号をデスクランブルするデスクランブル回路１７と、デスクランブルされた多重化されている信号を分離する多重データ分離回路１８と、分離されたＭＰＥＧ音声を再生するＭＰＥＧ音声再生回路１９と、分離されたＭＰＥＧ映像を再生するＭＰＥＧ映像再生回路２０と、再生されたＭＰＥＧ映像をＴＶ受像機１４に映し出すための処理を行うＯＳＤ回路２１と、サービス情報などを記憶するメモリ２２と、多重データ分離回路１８とＯＳＤ回路２１とメモリ２２の制御を行う制御部２３とから成る。
【０００９】
本発明は、サービス情報を各ネットワーク毎にすべて取得してから次のネットワークに移る場合と、一定時間だけサービス情報を取得して次のネットワークに移る場合があり、また番組を受信せず映像や音声を再生しないときにサービス情報の取得を行う場合と番組を受信し映像や音声を再生しながらサービス情報の取得を行う場合があるが、図１で示したサービス情報の取得方法は、番組を受信せず映像や音声を再生しないときに、しかも各ネットワークのサービス情報を完了した後、次のネットワークに移動する本発明一実施例のフローチャートである。
【００１０】
サービス情報（ＳＩ）の取得を開始すると、処理１０１において１つのネットワークの受信信号の選局を行い、処理１０２においてそのネットワーク内で必要なＳＩを識別した後，処理１０３においてＳＩの受信を行う。具体的にはそのネットワークにおいて送信されているＮＩＴ(Network Information Table)をまず受信し、サービス名や番組名を記述しているＳＤＴ(Service Description Table)及びＥＩＴ(Event Information Table）から受信すべき必要なＳＩを識別し、これらを実際に受信することになる。
【００１１】
次に処理１０４においてＳＩの取得状況を監視し、必要なＳＩの取得が完了しない限り処理１０３のＳＩの受信処理を続行し、図２のメモリ２２に記憶する。必要なＳＩの取得が完了すると、処理１０５に移ってネットワークを切り替え次のネットワークに移動し、処理１０１に戻ってそのネットワークの選局を開始する。
【００１２】
このようにネットワークを切り替えてＳＩ受信処理を繰り返し、各ネットワークのＳＩを取得することによって、すべてのネットワークのＳＩを取得することができる。
【００１３】
図１の実施例では、各ネットワークのＳＩの取得状況を記憶していなかったが、次のネットワークに切り替える直前に、そのネットワークのＳＩのどの情報を取得したかを記憶しておくようにすることができる。このようにすれば、次回そのネットワークのＳＩ取得時に効率的にＳＩを取得できる利点がある。
【００１４】
次に、ＳＩの取得を一定時間に限って行い、ＳＩ取得がこの時間内に完了しなければ次回に、前回取得分の次から引き続いてＳＩ取得を行う本発明他の一実施例について図３を用いて説明する。
【００１５】
この実施例でも、処理３０１においてある１つのネットワークについて選局を行い、次に処理３０２においてこのネットワークで送信されてくるＳＩから受信すべきＳＩ内の情報を識別する。次に処理３０３にて実際にそれらのＳＩの受信を行い、処理３０４においてＳＩ取得を開始してから予め定めた一定時間が経過したかどうか監視する。一定時間経たない間は処理３０３に戻ってＳＩ受信処理を続行する。ＳＩ取得開始から一定時間経過すると処理３０５に移ってこのネットワークのＳＩの取得状態を記憶し、処理３０６にて次のネットワークに切り替える。次に処理３０７に移って、切り替えられたネットワークについて以前受信したことがあるかを判断し、これまでに受信したことがなければ、処理３０１に戻ってこのネットワークの選局を行い、上記したように再びネットワーク内で必要なＳＩを識別（処理３０２）し、ＳＩ受信処理を行う（処理３０３）。
【００１６】
一方、処理３０７において、切り替えられたネットワークについてこれまでに受信したことがあれば処理３０８に移り、このネットワークで先にどこまでＳＩを受信したか、即ち前回までの取得状態を復元する。そして処理３０１の選局に戻り、処理３０２にて必要なＳＩを識別した後、処理３０３にて得られたＳＩの次から再びＳＩの取得を再開する。そして、上述と同様に処理３０４にて再びＳＩ取得時間を監視し、一定時間が経過したか調べる。取得するＳＩの情報量が多いと、２回目の処理３０３でもＳＩが完全に取得できない場合もある。このような場合には再びＳＩ取得を中断してＳＩの取得状態を記憶(処理３０５）し、次のネットワークに切り替える（処理３０６）。以下同様にして、すべてのネットワークの必要なＳＩを取得する。
【００１７】
本発明のこの実施例によれば、取得すべきＳＩ情報があるネットワークに偏っている場合にもすべてのネットワークについて一定量のＳＩを取得できる利点がある。
【００１８】
ところで、各ネットワークについて送信されてくる情報には、各視聴者がどの番組について契約契約しているかの契約情報（ＥＭＭ）などの重要な情報も含まれている。これらの情報を受信しているときにはＳＩよりもこれらの重要な情報を優先して受信するべきである。このように重要な情報受信中にはネットワーク切り替えを中止する本発明の実施例について説明する。
【００１９】
図４は、ＳＩ情報の取得を完了した後にネットワークを切り替える場合であって、重要な情報の取得中はネットワークの切り替えを一次中止する本発明一実施例のフローチャートである。処理４０１〜処理４０４は図１の処理１０１〜処理１０４と同じ処理である。図４では、処理４０４において必要なＳＩの取得が完了した場合にもすぐ次のネットワークに切り替えることなく、処理４０６において契約情報など重要な情報を取得中であるかどうか調査する。もし、重要な情報を取得中であれば、その間他のネットワークに切り替えることなく、重要情報の取得完了まで待つ。処理４０６において重要情報取得が完了すると、処理４０７にて次のネットワークに切り替えて処理４０１に戻りその切り替えられたネットワークの選局を行う。以下同様にして、重要情報の取得中はネットワークを切り替えず、重要情報取得の完了後切り替えてＳＩ情報の取得を行うことができる。
【００２０】
図５は、ＳＩ情報を取得するネットワークを一定時間毎に切り替える場合であって、重要な情報の取得中はネットワークの切り替えを一次中止する本発明一実施例のフローチャートである。
【００２１】
処理５０１〜処理５０８は図３の処理３０１〜処理３０８に対応する。本発明のこの実施例では処理５０３にてＳＩ受信処理を行い、処理５０４にてＳＩ取得開始から一定時間経過したときに、処理５０９において契約情報などの重要な情報を取得中であるかを検知する。もし重要な情報を取得中であれば処理５０３に戻って再びＳＩの受信処理を続ける。一方、重要な情報を取得中でなければ、処理５０５にてそのネットワークのＳＩの取得していた状態を記憶した後、処理５０６にて次のネットワークに切り替える。この後は図３の場合と同様に、切り替えられたネットワークを以前に受信したことがあるかどうか調べ（処理５０７）、受信したことがあれば処理５０８にて前回までの取得状態を復元して再び選局処理５０１に戻る。
【００２２】
ところで、上記実施例はいずれも、スタンバイ時に各ネットワークのＳＩ情報を取得するものであった。しかし、本発明は特定番組を受信しＴＶ受像機１４に映像を映しているときにも、各ネットワークのＳＩを取得できる。
【００２３】
図６，図７はこのように番組を視聴中に各ネットワークのＳＩを取得する本発明一実施例のフローチャートである。図６は、ネットワークの必要なＳＩの取得を完了した後次のネットワークに切り替える実施例であり、図７は一定時間毎にネットワークを切り替える実施例である。
【００２４】
図８は図２のＴＶ受像機１４において特定チャンネルの番組を映しており、それに重畳して現在番組ガイドが表示されている例である。図８（ａ）では、ネットワークＡ，Ｂ，Ｃ，Ｄの各チャンネル１００、２００、３００、４００の番組が表示される。現在の状態ではチャンネル１００の番組イがＴＶ受像機１４に映し出されており、ネットワークＡのこの番組が映し出されている旨の表示が画面上部に表示される。この状態では、ネットワークＡのＳＩが取得されている。
【００２５】
図６において処理６０１〜処理６０５は、図１の処理１０１〜処理１０５と同様な処理である。
【００２６】
視聴者が図示しないリモコンの衛星選択ボタンを押すと、ネットワークＡからネットワークＢへの切り替え指示がなされたことになる。図６においてＳＩ受信処理（処理６０３）中に、ネットワークの切り替え指示があると処理６０６から処理６０７に移り、受信番組チャンネル１００の番組イの状態が記憶され、処理６０８にてこの番組イの映像・音声が停止される。この後、処理６０９にてネットワークＢに切り替えられる。その後、処理６１０にてこのネットワークＢ内で必要なＳＩが識別され、処理６１１にてＳＩの受信処理がなされる。処理６０４では必要なＳＩを取得したか監視され、ＳＩ取得が完了すると、元のネットワークＡに戻される。そして、処理６１２にて先に受信中であった番組イの状態が復元され、処理６１３にて再びこの番組が再生され、処理６０３に戻ってこのネットワークＡのＳＩ受信処理がなされる。このときには、現在番組ガイドでは、ネットワークＢのＳＩも取得されているので、図８（ｂ）に示すように、ネットワークＢに属するチャンネル２００の現在番組も表示される。同様にして、視聴者が次に図示しないリモコンの衛星選択ボタンを押すと、ネットワークＣのＳＩが取得される。
【００２７】
尚、上記説明では衛星選択ボタンを１回押すことにより、１つのネットワークのＳＩを受信しているが、このボタンを１回押すことによって、現在選局していないすべてのネットワークのＳＩを取得するようにしてもよい。
【００２８】
図７は、あるチャンネルの番組を受信し映像及び音声を再生しながら、一定時間毎にネットワークを切り替える本発明一実施例のフローチャートである。処理７０１〜処理７０８は図３の処理３０１〜処理３０８と同様な処理である。この実施例でも図６の場合と同じように視聴者がネットワークの切り替え指示がある場合に、ネットワークが切り替えられる。処理７０３のＳＩ受信処理中に視聴者からネットワークの切り替え指示があると、処理７１１においてこれが検知され、処理７１２にて受信番組の状態を記憶する。そして、処理７１３においてこの番組の映像・音声が停止され、処理７１４にて他のネットワークに切り替えられる。この切り替えられたネットワーク内で必要なＳＩが識別され（処理７１５）、ＳＩ受信処理がなされる（処理７１６）。このＳＩ受信処理が一定時間なされると、このことが処理７０４にて検知され、ＳＩの取得状況が記憶される（処理７０５）。その後処理７０６にて他のネットワークに切り替えられ、処理７１７，７１８において元の受信番組の状態が復元され、映像及び音声が再生される。この後切り替えられたネットワークが先に受信されたことがあるか調べられ、あれば処理７０８にて前回までの取得状態を復元し、処理７０１に戻り選局を行う。以下、同様に各ネットワークＳＩが取得される。
【００２９】
上記実施例では映像及び音声が再生されているが、音声のみが再生される場合でもよく、一般的には映像又は音声が再生される場合に、本発明は適用できる。
【００３０】
【発明の効果】
本発明により、現在受信中のチャンネルの属するネットワークのサービス情報だけでなく、すべてのネットワークのサービス情報を取得できる。
【図面の簡単な説明】
【図１】本発明の一実施例のサービス情報取得方法のフローチャートを示す図。
【図２】本発明の方法を実現する受信システムの構成例を示す図。
【図３】本発明の他の一実施例のサービス情報取得方法のフローチャートを示す図。
【図４】本発明の更に他の一実施例のサービス情報取得方法のフローチャートを示す図。
【図５】本発明の更に他の一実施例のサービス情報取得方法のフローチャートを示す図。
【図６】本発明の更に他の一実施例のサービス情報取得方法のフローチャートを示す図。
【図７】本発明の更に他の一実施例のサービス情報取得方法のフローチャートを示す図。
【図８】図６に示した本発明のサービス情報取得方法を行うときの画面の状態を示す図。
【符号の説明】
１１・・・受信システム、１２・・・アンテナ、１３・・・受信装置、１４・・・ＴＶ受像機、１５・・・チューナ、１７・・・デスクランブル回路、１８・・・多重データ分離回路、１９・・・ＭＰＥＧ音声再生回路、２０・・・ＭＰＥＧ映像再生回路、２１・・・ＯＳＤ回路、２２・・・メモリ、２３・・・制御部、１０１〜１０５、３０１〜３０８・・・処理
【図１】
0003768724.tif 000002
【図２】
0003768724.tif 000003
【図３】
0003768724.tif 000004
【図４】
0003768724.tif 000005
【図５】
0003768724.tif 000006
【図６】
0003768724.tif 000007
【図７】
0003768724.tif 000008
【図８】
0003768724.tif 000009